(57)【要約】      （修正有）【課題】微量の血液等を容易に正確に採取できるとともに、気泡が混入しにくい、比較的安価な、使い捨てピペットを提供する。【解決手段】本発明に係る微量液体採取ピペットは、透明または半透明の直管部と、当該直管部の内部に隙間なく挿入される直線状針部とを有し、直線状針部が直管部に対して長軸方向へ所定距離移動できる。また、直管部の内部に採取した液体が自然流出しないほどに内部寸法が小さい。更に、直管部及び直線状針部が共に、焼却してもダイオキシンを発生するおそれがない樹脂またはステンレス鋼によって製造されている。【選択図】  図１
2005181288.tif 000002
【特許請求の範囲】
【請求項１】
透明または半透明の直管部と、当該直管部の内部に隙間なく挿入される直線状針部とを有し、直線状針部が直管部に対して長軸方向へ所定距離移動可能な微量液体採取ピペット。
【請求項２】
直管部の内部に採取した液体が自然流出しないほどに内部寸法が小さいことを特徴とする請求項１に記載の微量液体採取ピペット。
【請求項３】
ヒトの血液を採取するためには、内径寸法がφ２．５ｍｍ以下である請求項２に記載の微量液体採取ピペット。
【請求項４】
採取する液体の量が５μｌ〜１００μｌである請求項１から３までのいずれか１つに記載の微量液体採取ピペット。
【請求項５】
直管部及び直線状針部が共に、焼却してもダイオキシンを発生するおそれがない樹脂またはステンレス鋼によって製造されていることを特徴とする請求項１から４までのいずれか１つに記載の微量液体採取ピペット。
【請求項６】
直管部の内面及び直線状針部の外面に血液凝固防止液を塗布していることを特徴とする請求項１から５までのいずれか１つに記載の微量液体採取ピペット。
【発明の詳細な説明】
【技術分野】
【０００１】
本発明は微量液体採取ピペットに関する。特に、血液、胃液、胆液、その他の体液、尿（以下、「血液等」という。）の検査において用いる微定量採取ピペットや供試液や試薬液の生化学・化学の試験・研究において用いる微定量採取ピペットに関する。
【背景技術】
【０００２】
図３は従来のピペットの概略図である。従来のピペット１１は、スポイト筒１１ａと蛇腹構造のキャップ１１ｂとが連結してなる。スポイト筒１１ａ及びキャップ１１ｂは、いずれも透明または半透明で可撓性を有する材料でできている。そして、スポイト筒１１ａには目印１１ｃ、１１ｄが付けてある。目印１１ｃは採取すべき血液等の量の下限を示し、目印１１ｄは採取すべき血液等の量の上限を示している。そして、スポイト筒１１ａの先端は開放されている。
【０００３】
キャップ１１ｂの端を押し込んで、蛇腹構造を縮めた状態で、スポイト筒１１ａの先端を液体の中へ浸漬する。その後に、キャップ１１ｂの端を押し込むのを停止すると、蛇腹構造は元の状態に戻ろうと徐々に伸びるとともに、スポイト筒１１ａの先端から液体が吸引される。そして、所定量の血液等を採取した時に、スポイト筒１１ａの先端を液体の外へ移す。その後に、キャップ１１ｂの端を押し込んで、蛇腹構造を縮めることによって、スポイト筒１１ａの中に採取してある血液等を吐出させる。
【０００４】
従来の他のピペットは、スポイト筒に相当する細管の内径が小さい。スポイト筒の先端を液体の中に浸漬する。すると、毛細管現象によって血液等が徐々にスポイト筒の中に入ってゆく。そして、時間が経過し、所定量の血液等を採取した時に、スポイト筒の先端を液体の外へ移す。その後に、吐出機構を作動することによって、スポイト筒の中に採取してある血液等を吐出させる。
【特許文献１】特開平０５−０８７８１３
【発明の開示】
【発明が解決しようとする課題】
【０００５】
しかしながら、これら従来のピペットについては、所定量の血液等を採取するのが困難であり、何度も血液等の採取と排出を繰り返さなければならない。
【０００６】
また、採取した血液等に気泡が混入しやすい。スポイト筒の先端が血液等の中へ浸漬し続けるのが困難であり、血液等の採取の途中でスポイト筒の先端が血液等の外へ出てしまい、空気を吸入してしまうからである。混入した気泡のみを除去することは、従来の使い捨てピペットでは不可能である。そのため、採取途中の血液等に気泡が混入した場合には、血液等をすべて排出した後に、再度、血液等を吸入しなければならない。気泡が混入した血液等では実質的な採取量が不足したり、あるいは正確な血液検査等ができない。
【０００７】
さらに、従来の使い捨てピペットでは６０μｌ以上の血液等を比較的正確に採取することができたが、１０μｌ〜３０μｌの微量の血液等を正確に採取できるピペットは存在しなかった。
【０００８】
そこで、本発明の目的は、微量の血液等を容易に正確に採取できるとともに、気泡が混入しにくい、比較的安価な、使い捨てピペットを提供することである。
【課題を解決するための手段】
【０００９】
上記目的は、請求項１に記載の本発明に係る微量液体採取ピペット、すなわち、透明または半透明の直管部と、当該直管部の内部に隙間なく挿入される直線状針部とを有し、直線状針部が直管部に対して長軸方向へ所定距離移動可能な微量液体採取ピペットによって、達成される。
【００１０】
本発明の好ましい実施態様においては、請求項２に記載のように、直管部の内部に採取した液体が自然流出しないほどに内部寸法が小さい。
【００１１】
また、本発明の他の好ましい実施態様においては、請求項３に記載のように、ヒトの血液を採取するためには、内径寸法がφ２．５ｍｍ以下である。
【００１２】
本発明のさらに他の好ましい実施態様においては、請求項４に記載のように、採取する液体の量が５μｌ〜１００μｌである。
【００１３】
本発明の別の好ましい実施態様においては、請求項５に記載のように、直管部及び直線状針部が共に、焼却してもダイオキシンを発生するおそれがない樹脂またはステンレス鋼によって製造されている。
【発明の効果】
【００１４】
本発明に係る微量液体採取ピペットによれば、直管部と、当該直管部の内部に隙間なく挿入される直線状針部とを有し、直線状針部が直管に対して長軸方向へ所定距離移動可能であるので、直管部の先端を血液等の中へ完全に浸漬した後に、直線状針部を一端から他端へ移動することによって、所定微量、例えば３０μｌ、の血液等を正確に、容易に、気泡混入なしに採取することができ、直線状針部を他端から一端へ移動することによって、所定微量を完全に吐出することができる。
【００１５】
また、本発明に係る微量液体採取ピペットによれば、直管部が透明または半透明であるので、血液等の採取状況や気泡の混入を目視確認することができる。
【００１６】
さらに、本発明に係る微量液体採取ピペットによれば、直管部の内径寸法を液体の粘度や表面張力に応じて設計することによって、採取した液体が自然流出することなく、一時的に所定微量を直管部等の中に保持することができる。
【００１７】
さらに、本発明に係る微量液体採取ピペットによれば、直管部の内面及び直線状針部の外面に血液凝固防止液を塗布している。
【発明を実施するための最良の形態】
【００１８】
以下、本発明に係る微定量液体採取ピペットの実施形態について、添付図面を参照して、説明する。
【００１９】
図１は本発明に係る微定量液体採取ピペットの実施形態の正面断面図であり、（ａ）は第１位置における正面断面図であり、（ｂ）は第２位置における正面断面図である。
【００２０】
図２は本発明に係る微定量液体採取ピペットの実施形態の概略図であり、（ａ）は平面図であり、（ｂ）は（ａ）中のＡ−Ａ断面図である。
【００２１】
第１部品２１は直管部２１ａとテーパー部２１ｂと嵌合部２１ｃとからなり、透明または半透明の樹脂製で一体的に作成されている。直管部の内面及び直線状針部の外面にはシリコーンとテフロン（登録商標）がコーティングされ、さらに血液凝固防止液が塗布されている。
【００２２】
第２部品２２は嵌合部２２ａとガイド孔部２２ｂと本体部２２ｃとからなり、樹脂製で一体的に作成されている。
【００２３】
第３部品２３はキャップ部２３ａと嵌合部２３ｂとからなり、樹脂製で一体的に作成されている。嵌合部２３は中空となっており、材料使用量や廃棄物量の減少を図っている。
【００２４】
第４部品３は直線状針部３ａとテーパー部３ｂと中間部３ｃと大径部３ｄとが順に連続してなり、樹脂製で一体的に作成されている。テーパー部３ｂ、中間部３ｃ、大径部３ｄも中空となっており、材料使用量や廃棄物量の減少を図っている。
【００２５】
第５部品４は操作用スライドボタンであり、指接触部４ａと、本体部４ｂと、２本の脚部４ｃと、それぞれの脚部の下端外側に設けた係合部４ｄとからなり、樹脂製で一体的に作成されている。
【００２６】
第４部品３を第２部品２２の本体部２２ｃの端から内部へ挿入し、第２部品２２の嵌合部２２ａの端から第４部品３の直線状針部３ａが突出するように配置する。
【００２７】
次に、第２部品２２の本体部２２ｃの端に第３部品２３の嵌合部２３ｂを挿入し、キャップ部２３ａによって本体部２２ｃの端を塞ぎ、接着剤等によって接着する。
【００２８】
続いて、第５部品４の脚部４ｃから先に、第２部品２２のガイド孔部２２ｂを通して挿入し、さらに、第４部品３の大径部３ｄの中へ挿入し、第５部品４の脚部４ｃの係合部４ｄと第４部品３の大径部３ｄとを係合させる。その後に、第１部品２１の嵌合部２１ｃの中に第２部品２２の嵌合部２２ａを挿入し、接着剤等によって接着する。以上のように、部品を組立てて、実施形態の微定量液体採取ピペットを作成した。
【００２９】
なお、別の実施形態としては、第４部品３の直線状針部３ａはステンレス製であってもよい。その場合、樹脂と金属とは分別して廃棄すべきであるから、第４部品と第５部品４との接合や第２部品２２と第３部品２３との接合は、分離が容易に行えるように、接着ではなく、係合、嵌合、ら合とするのが好ましい。
【００３０】
次に、実施形態の微定量液体採取ピペットの使用方法について説明する。
【００３１】
微定量液体採取ピペットを第１位置になるように、第５部品４の指接触部４ａを指で押し第２部品２２のガイド孔部２２ｂに沿って移動させて、第５部品４が第１部品２２の直管部２１ａに最も近づかせる。その際には、第４部品３の直線状針部３ａは第１部品２１の直管部２１ａの中に挿入され、直線状針部３ａの先端と直管部２１ａの先端とがほぼ同一面上に並ぶ。
【００３２】
第１位置にある微定量液体採取ピペットの直管部２１ａの先端を血液の中に完全に浸漬する。
【００３３】
次に、第５部品４の指接触部４ａに指をかけて第２位置まで引く。その際には、第５部品４がガイド孔部２２ｂの他端に当接して、第２部品２２の本体部２２ｃの端に最も近づくとともに、直線状針部３ａは直管部２１ａの中を所定距離移動し、直線状針部３ａの先端は直管部２１ａの奥に位置する。そして、直管部２１ａの内部の直管部２１ａの先端から直線状針部３ａまでの部分に血液等が採取される。この部分の体積は常に一定であり、針の移動距離を精度よく一定とすれば、採取体積の精度は容易に高くなる。
【００３４】
さらに、採取する際の微定量液体採取ピペットの姿勢は水平でも垂直でもよい。そのため、操作がしやすい。
【００３５】
なお、直管部２１ａの内径は、採取しようとする液体と直管部２１ａの内壁性状とによって定まる表面張力を考慮するとともに、採取体積の精度を考慮して定めるべきである。すなわち、内径が大きすぎると採取した液体が自然流出し不都合であり、内径が小さすぎると、液体を吸引しにくくなる。また、内径が大きすぎると、針の移動距離精度を高めないと、採取体積の精度が悪くなる。
【図面の簡単な説明】
【００３６】
【図１】本発明に係る微定量液体採取ピペットの実施形態の正面断面図であり、（ａ）は第１位置における正面断面図であり、（ｂ）は第２位置における正面断面図である。
【図２】本発明に係る微定量液体採取ピペットの実施形態の概略図であり、（ａ）は平面図であり、（ｂ）は（ａ）中のＡ−Ａ断面図である。
【図３】従来のピペットの概略図である。
【符号の説明】
【００３７】
１１  ピペット
１１ａ  スポイト筒
１１ｂ  キャップ
１１ｃ  目印
１１ｄ  目印
２１  第１部品
２１ａ  直管部
２１ｂ  テーパー部
２１ｃ  嵌合部
２２  第２部品
２２ａ  嵌合部
２２ｂ  ガイド孔部
２２ｃ  本体部
２３  第３部品
２３ａ  キャップ部
２３ｂ  嵌合部
３  第４部品
３ａ  直線状針部
３ｂ  テーパー部
３ｃ  中間部
３ｄ  大径部
４  第５部品
４ａ  指接触部
４ｂ  本体部
４ｃ  脚部
４ｄ  係合部
【図１】
2005181288.tif 000003
【図２】
2005181288.tif 000004
【図３】
2005181288.tif 000005